(57)【要約】【課題】構造が簡単で部品点数が少なく、しかも締付ねじの回転操作が容易で、見栄えのよいクランプ装置を提供する。【解決手段】水平方向を向く上片１１ａと下片１１ｂが垂直片１１ｃにより連結された側面視コ字状のクランプ部材１１を天板３の端部に嵌合し、上片１１ａには垂直上方に向くスリーブ１３を突設し、締付ねじ１２のねじ部１２ａを上片１１ａに螺合させるとともに、スリーブ１３に遊嵌し、ねじ部１２ａの下端に設けた回動摘み１２ｂを上片１１ａの下方に位置させ、回動摘み１２ａと下片１１ｂとの間で天板３を挟着し、スリーブ１３の上部に遊嵌した杆材６ｂをねじ部１２ａの上端に載置する。【選択図】      図３
2006138414.tif 000002
【特許請求の範囲】
【請求項１】
水平方向を向く上片と下片が垂直片により連結された側面視コ字状のクランプ部材を天板の端部に嵌合し、前記上片に上方を向くスリーブを突設し、上下方向を向く締付ねじのねじ部を、前記上片に設けた上下方向を向くねじ孔に螺合させるとともに、前記スリーブに遊嵌し、前記ねじ部の下端に設けた回動摘みを、前記上片の下方に位置させ、前記回動摘みと前記下片との間で前記天板を挟着し、前記スリーブの上部に遊嵌した杆材を前記ねじ部の上端に載置したことを特徴とするクランプ装置。
【請求項２】
締付ねじのねじ部の上端部に、操作工具を係合させてこの締付ねじを回動操作可能な工具係合手段を形成したことを特徴とする請求項１記載のクランプ装置。
【請求項３】
締付ねじの回動摘みの下端面に樹脂製保護材を設けたことを特徴とする請求項１または２記載のクランプ装置。
【請求項４】
杆材の下端に、締付ねじのねじ部の上端面に当接する樹脂製エンドキャップを取り付けたことを特徴とする請求項１〜３のいずれかに記載のクランプ装置。
【請求項５】
机の天板上に取り付けられる机上棚を支持する脚杆を、ねじ部の上端に載置する杆材として使用したことを特徴とする請求項１〜４のいずれかに記載のクランプ装置。
【発明の詳細な説明】
【技術分野】
【０００１】
本発明は、机（デスク、テーブルを含む）の天板上に、机上棚、電気スタンド等のオプション部品を取り付けるクランプ装置に関する。
【背景技術】
【０００２】
従来、机の天板上に、机上棚、電気スタンド、電話台その他のオプション部品を取り付けるため、天板を挟着するクランプ装置が用いられている（例えば、特許文献１参照）。このクランプ装置は、側面視コ字状のクランプ本体にねじ軸部を有する締め込み部材をねじ込み、締め込み部材とクランプ本体との間で天板を挟着するとともに、締め込み部材の上端に形成された孔に電気スタンド等を挿着するようにしている。
【特許文献１】特開２００２−１６１９０７号公報
【発明の開示】
【発明が解決しようとする課題】
【０００３】
しかし、上記のようなクランプ装置は、回転操作部がクランプ本体の上方に位置し、締め込み部材を締め込むと、締め込み部材のねじ部が外部に露呈するため、それを覆う外筒を設けたり、その他にも、リング部材、押圧片等、多くの部品が必要であり、構造が複雑でコスト高になるとともに、締め込み部材の上端の回転操作部に形成されている孔に電気スタンド等のオプション部材を挿着するので、この孔に加わるオプション部材の摩擦抵抗により、回転操作部の回転が重く、回転操作が困難となり、さらに、回転操作部が上方に大きく露出するため、見栄えがよくない等の問題がある。
【０００４】
本発明は、従来の技術が有する上記のような問題点に鑑み、構造が簡単で部品点数が少なく、かつ締付ねじの回転操作が容易で、見栄えのよいクランプ装置を提供することを目的としている。
【課題を解決するための手段】
【０００５】
本発明によると、上記課題は、次のようにして解決される。
(１)水平方向を向く上片と下片が垂直片により連結された側面視コ字状のクランプ部材を天板の端部に嵌合し、前記上片に上方を向くスリーブを突設し、上下方向を向く締付ねじのねじ部を、前記上片に設けた上下方向を向くねじ孔に螺合させるとともに、前記スリーブに遊嵌し、前記ねじ部の下端に設けた回動摘みを、前記上片の下方に位置させ、前記回動摘みと前記下片との間で前記天板を挟着し、前記スリーブの上部に遊嵌した杆材を前記ねじ部の上端に載置する。
【０００６】
(２)上記(１)項において、締付ねじのねじ部の上端部に、操作工具を係合させてこの締付ねじを回動操作可能な工具係合手段を設ける。
【０００７】
(３)上記(１)または(２)項において、締付ねじの回動摘みの下端面に樹脂製保護材を設ける。
【０００８】
(４)上記(１)〜(３)項のいずれかにおいて、杆材の下端に、締付ねじのねじ部の上端面に当接する樹脂製エンドキャップを取り付ける。
【０００９】
(５)上記(１)〜(４)項のいずれかにおいて、机の天板上に取り付けられる机上棚を支持する脚杆を、ねじ部の上端に載置する杆材として使用する。
【発明の効果】
【００１０】
本発明によると、次のような効果を奏することができる。
(ａ)請求項１記載の発明によると、側面視コ字状のクランプ部材と、スリーブおよび締付ねじだけで簡単に構成できるとともに、ねじ部の上端に杆材が載置されているので、杆材の締付ねじに対する接触面積が小さく、摩擦抵抗が小さいため回動摘みの回転操作がし易く、また、回動摘みがクランプ部材の上片の下側に収まっているので、カバーを設けなくても見栄えがよい。
【００１１】
(ｂ)請求項２記載の発明によると、杆材をスリーブから外した状態で、締付ねじの上端の工具係合手段に工具を係合させて、回動操作することにより、締付ねじを上方から締め付けたり、緩めたりすることができ、操作性がよい。すなわち、締付ねじの回転操作を、回動摘みと工具のいずれによっても行うことができるので、使い勝手がよい。
【００１２】
(ｃ)請求項３記載の発明によると、締付ねじの回動摘みの下端面に設けた樹脂製保護材により、天板面の傷付きを防止することができるとともに、回転操作時の滑りがよく、回転操作を軽快に行うことができる。
【００１３】
(ｄ)請求項４記載の発明によると、杆材の下端に設けた樹脂製エンドキャップにより、杆材と締付ねじ間の摩擦抵抗が小さくなり、回転操作を軽快に行うことができる。
【００１４】
(ｅ)請求項５記載の発明によると、ねじ部の上端に載置する杆材を、机の天板上に取り付けられる机上棚を支持する脚杆とすることにより、机上棚装置を簡単に天板に取り付けることが可能となる。
【発明を実施するための最良の形態】
【００１５】
以下、本発明の一実施形態であるクランプ装置を机上棚装置に適用した例を、図面を参照して説明する。
図１は、本発明の一実施形態を備えた机上棚装置を机に装着したときの斜視図、図２は、机上棚装置の一部切欠き側面図、図３は、クランプ装置の拡大縦断側面図である。
【００１６】
机(１)は、脚部(２)の上部に天板(３)が設けられたもので、この天板(３)の後部（図１における手前および図２における右側を前部、その反対側を後部とする）に机上棚装置(４)が取り付けられている。この机上棚装置(４)は、棚板(５)と、この棚板(５)を支持する左右１対の脚杆(６)(６)と、この脚杆(６)(６)を天板に固定するクランプ機構(７)(７)とを有している。
【００１７】
脚杆(６)は、棚板(５)の前部に位置する前部脚杆(6a)と、後部に位置する後部脚杆(6b)と、前部脚杆(6a)および後部脚杆(6b)の上端部同士を連結する上部連結杆(6c)とからなり、後部脚杆(6b)の下端には後述するクランプ機構(７)が設けられている。
【００１８】
上部連結杆(6c)は、前部脚杆(6a)の上端から後方向に延びる前後連結杆(6c1)と、前後連結杆(6c1)の後端部と後部脚杆(6b)の上端同士を連結する左右連結杆(6c2)とからなる、ほぼＬ字形のものである。
【００１９】
水平支持杆(6c)上には、棚板(５)が載置され、固着されている。
すなわち、図２に示すように、棚板(５)の裏面には、上向きコ字状の補強杆(８)が固着されており、この補強杆(８)が前後連結杆(6c1)および左右連結杆(6c2)上に当接し、皿ねじ(９)および補強杆(８)に溶接したナット(10)により、前後連結杆(6c1)および左右連結杆(6c2)と補強杆(８)とが固着されている。
【００２０】
図３に示すように、クランプ装置(７)は、天板(３)の後端部に嵌合される側面視コ字状のクランプ部材(11)と、クランプ部材(11)に螺合された締付ねじ(12)と、クランプ部材(11)に垂直に立設されたスリーブ(13)とを有している。クランプ部材(11)は、水平方向を向く上片(11a)および下片(11b)が垂直片(11c)により連結された側面視コ字状のものである。スリーブ(13)は、クランプ部材(11)の上片(11a)に固着されている。締付ねじ(12)は、クランプ部材(11)の上片(11a)に設けられた上下方向を向くねじ孔(11d)に螺合されて、スリーブ(13)内に遊嵌されるねじ部(12a)と、このねじ部(12a)の下端に一体的に設けられた回動摘み(12b)とからなっている。回動摘み(12b)は常に天板(３)の上面に当接している。後部脚杆(6b)の下端部はスリーブ(13)に遊嵌され、下端に取り付けられている樹脂製エンドキャップ(14)がねじ部(12a)の上端に当接している。
【００２１】
図４は、クランプ機構の操作を示す斜視図である。
同図に示すように、机(１)の前方から棚板(５)の下に手を入れ、指で回動摘み(12b)を回転操作することにより、クランプ機構(７)の締付けおよび緩めを行うことができる。回動摘み(12b)を右回転させると、クランプ部材(11)がねじ部(12a)に沿って上昇し、回動摘み(12b)の下面と、クランプ部材(11)の下片(11b)の上面に設けたパッド(15)との間で天板(３)を挟着する。また、回動摘み(12b)を左回転させると、クランプ部材(11)が下降し、挟着が緩められる。
【００２２】
回動摘み(12b)の回転により、クランプ部材(11)が上下に動くとスリーブ(13)も上下動するが、後部脚杆(6b)はねじ部(12a)に載ったままで上下動することがない。したがって、天板(３)が図２に鎖線(3A)で示すように薄い形状の場合でも、締付け操作によりクランプ部材(11)は鎖線(11A)の位置に上昇するが、脚杆(６)および棚板(５)が上下動することなく、クランプ機構(７)の挟着および緩め操作を行うことができる。
【００２３】
ねじ部(12a)の上端面には、工具係合手段である角孔(16)が形成されている。したがって、回動摘み(12b)を回す代わりに、脚杆(６)を取り付ける前に、レンチ等の工具を角孔(16)に差し込み、締付ねじ(12)を回すことにより、天板(３)に対して強力な挟着力を与えることができる。このように、２通りの締め付け方が可能であるので、状況に応じてそのいずれかを選択することができる。
なお、工具係合手段は、角孔(16)に限定されるものではなく、例えば、すり割り、六角頭部等とすることができる。
【００２４】
図３に示すように、回動摘み(12b)の外周にローレット加工(17)を施すことにより、回転操作をし易くすることができる。また、回動摘み(12b)の下面に樹脂製保護材(18)を設けておくことにより、天板(３)の面を傷つけることを防止することができる。この樹脂製保護材(18)および上記した樹脂製エンドキャップ(14)により、締付ねじ(12)に対する摩擦抵抗が小さくなるので、回動摘み(12b)の回転操作を軽快に行うことができる。
【００２５】
上記実施形態では、クランプ装置(７)を机上棚装置(４)の取り付けに使用する例を示したが、これに限定されず、例えば、電気スタンド、電話台、その他任意のオプション部品の杆材を机の天板等に取り付ける際にも適用することができる。
【００２６】
以上のように、本発明のクランプ装置(７)は、クランプ部材(11)、スリーブ(13)および締付ねじ(12)により簡単に構成できるとともに、締付ねじ(12)のねじ部(12a)の上端に後部脚杆（杆材）(6b)を載置しているので、杆材(6b)の締付ねじ(12)に対する接触面積が小さく、摩擦抵抗が小さいため、回動摘み(12b)の回転操作がし易く、また、回動摘み(12b)がクランプ部材(11)の上片(11a)の下側に収まっているので、カバー等を設けなくても見栄えがよい。
【図面の簡単な説明】
【００２７】
【図１】本発明の一実施形態を備える机上棚装置を机に装着ときの斜視図である。
【図２】同じく、一部切欠き側面図である。
【図３】同じく、要部の縦断側面図である。
【図４】同じく、回転摘みの操作状態を示す斜視図である。
【符号の説明】
【００２８】
(１)机
(２)脚部
(３)天板
(４)机上棚装置
(５)棚板
(６)脚杆
(6a)前部脚杆
(6b)後部脚杆
(6c)上部連結杆
(6c1)左右連結杆
(6c2)前後連結杆
(７)クランプ機構
(８)補強杆
(９)皿ねじ
(10)ナット
(11)クランプ部材
(11a)上片
(11b)下片
(11c)垂直片
(11d)ねじ孔
(12)締付ねじ
(12a)ねじ部
(12b)回動摘み
(13)スリーブ
(14)エンドキャップ
(15)パッド
(16)角孔(工具係合手段)
(17)ローレット加工
(18)樹脂製保護材
【図１】
2006138414.tif 000003
【図２】
2006138414.tif 000004
【図３】
2006138414.tif 000005
【図４】
2006138414.tif 000006